(57)【要約】【課題】  物品に係る情報を物品と関わったその場で取得してデータベースを作成することが可能であり、そのデータベースへのアクセスも容易で、物品の流通管理を効率的に行うことができる流通管理システムを提供する。【解決手段】物品の流通管理システムＳは、物品の情報を収集可能で識別コードを生成する情報収集デバイス１と、ネットワーク上にあり情報収集デバイス１から物品の情報を送りデータベース２０を作成するデータベースサーバ２と、識別コードシール３０を発行する発行部３と、物品に付された識別コードシール３０の識別コードを読み取りデータベース２０にアクセス可能な情報端末４とを備えている。【選択図】図１
2018045651.tif 000002
【特許請求の範囲】
【請求項１】
ネットワークに接続可能な情報収集デバイスにより管理対象物品に係る情報を収集する工程と、
情報収集デバイスにより管理対象物品に係る識別コードを生成する工程と、
前記情報収集デバイスから管理対象物品に係る情報と前記識別コードの情報を送って、前記ネットワーク上でデータベースを作成または更新する工程と、
前記識別コードを表した識別コード体を発行する工程と、
発行した前記識別モード体を前記管理対象物品に付ける工程と、
前記管理対象物品に付けられた前記識別コード体の識別コードを情報端末により読み取ることで前記データベースにアクセスして管理対象物品に係る情報を得る工程とを備える
物品の流通管理方法。
【請求項２】
情報収集デバイスがネットワークに接続可能な通信機能及び撮影機能を有する携帯電話機である
請求項１の物品の流通管理方法。
【請求項３】
情報収集デバイスがネットワークに接続可能な通信機能、映像や画像の撮影が可能な撮影機能及び管理対象物品に係る識別コードを表した識別コード体を発行可能な発行機能を有する
請求項１の物品の流通管理方法。
【請求項４】
識別コードが二次元コードである
請求項１、２または３の物品の流通管理方法。
【請求項５】
識別コード体がシールである
請求項１、２、３または４の物品の流通管理方法。
【請求項６】
識別コード体がＩＣタグである
請求項１、２または３の物品の流通管理方法。
【請求項７】
情報収集デバイスにより管理対象物品に係る情報を収集する工程と、
管理対象物品に係る識別コードを生成する工程と、
前記情報収集デバイスから管理対象物品に係る情報を送って、ネットワーク上でデータベースを作成または更新する工程と、
前記識別コードを表した識別コード体を発行する工程と、
発行した前記識別モード体を前記管理対象物品に付ける工程と、
前記識別コード体の識別コードを情報端末により読み取ることで前記データベースにアクセスして管理対象物品に係る情報を得る工程とを備える
物品の流通管理方法。
【請求項８】
ネットワークに接続することができ、管理対象物品の情報を収集可能で、管理対象物品に係る識別コードを生成する情報収集デバイスと、
前記ネットワーク上にあり、前記情報収集デバイスから管理対象物品に係る情報を送り、データベースを作成または更新するデータベースサーバと、
ネットワークに接続可能で前記識別コードを表した識別コード体を発行する発行部と、
管理対象物品に付される識別コード体の識別コードを読み取り、前記データベースにアクセス可能な情報端末とを備え、
前記情報収集デバイスにより管理対象物品に係る情報を収集すると共に、管理対象物品に係る識別コードを生成し、前記情報収集デバイスから管理対象物品に係る情報と前記識別コードの情報を送って、前記ネットワーク上にデータベースを作成し、前記発行部で識別コード体を発行し、管理対象物品に付けられた識別コード体の識別コードを、前記情報端末により読み取って、前記データベースの管理対象物品に係る情報にアクセスできるようにした
物品の流通管理システム。
【請求項９】
撮影部と、
該撮影部による撮影情報を送信可能な信号に変換すると共に、管理対象物品に係る識別コードを生成する処理部と、
該処理部により変換された信号と前記識別コードの情報を含む管理対象物品に係る情報をネットワーク上にあるデータベースサーバへ送る通信部と、
前記識別コードを表示した識別コード体を発行する発行部とを備える
情報収集デバイス。
【発明の詳細な説明】
【技術分野】
【０００１】
本発明は、物品の流通管理方法、物品の流通管理システム及びそれに使用する情報収集デバイスに関するものである。更に詳しくは、特に個々に異なり、大量生産に向かない物品を単品管理する場合も、その物品に係る情報を、物品と関わったその場で取得してデータベースを作成または更新することが可能であり、物品に係る情報へのアクセスも容易に行うことができるものに関する。
【背景技術】
【０００２】
近年、流通する物品が益々多様化していくのに伴い、その流通の管理も複雑化してきている。様々な物品、あるいは商品の流通をデータベース化し、効率的に管理していくことは、速く正確な流通を行うために重要である。また、データベース内の情報を適宜フィードバックすることは、例えば商品のパッケージングの改良に活かしたり、配送をより好ましい時間帯に行うための管理に利用したりする等、その商品をより良いものとするために重要である。このようなシステムの一例としては、例えば特許文献１に記載されたシステムがある。
【０００３】
特許文献１記載のシステムは、生鮮食品等の商品情報を入力するための業務システムと、商品情報管理システムと、業務サーバと、業務サーバから商品情報に対応する識別情報とユーザーに公開する公開データとを受信及び記憶するデータベースサーバと、公開データ及び公開データに対応する二次元バーコードが表示された流通証明書を出力する業務サーバのパソコン端末と、データベースサーバと送受信を行うインターネット公開サーバとを備えており、消費者等が、商品に付されているラベル等の識別情報を携帯電話等の情報端末で読み取って、インターネット上の公開サーバに接続し、その商品が正規なものかを確認したり、流通の来歴を確認したりすることができるというものである。
【先行技術文献】
【特許文献】
【０００４】
【特許文献１】特開２００７−６６０３６号公報
【発明の概要】
【発明が解決しようとする課題】
【０００５】
しかしながら、上記特許文献１記載のシステムには、次のような課題があった。
すなわち、このシステムは、システム自体が大掛かりで、携帯や持ち運びができるようなものではない。したがって、例えば置かれている場所も、その数も様々である物品のデータベースを構築するには、その物品に係る情報を、システム内の情報入力ができるところまで持ち帰る等して入力する必要があった。このため、物品が重すぎる等して持ち運びに適さない場合、識別情報ラベル等を物品に付けるまでに、相当な時間と手間を要し、データベース化が容易にはできなかった。
【０００６】
特に、手作りの商品のように、個々に異なり、大量生産に向かない物品の単品管理を行う場合、その物品による利益が、物品を単品でシステム管理するためのコストに見合わないことが多かった。そして、このことが、単品管理をすることを含めた、物品の流通管理を効率的に行う上でのネックとなっていた。
【０００７】
本発明は、以上の点を鑑みて創案されたものであり、手作りの商品等、個々に異なり、大量生産に向かない物品を単品管理する場合も、その物品に係る情報を、物品と関わったその場で取得してデータベースを作成または更新することが可能であり、その後、データベースの物品に係る情報へのアクセスも容易に行うことができ、物品の流通管理をより効率的に行うことができる、物品の流通管理方法、物品の流通管理システム及びそれに使用する情報収集デバイスを提供することを目的とする。
【課題を解決するための手段】
【０００８】
（１）上記の目的を達成するため、本発明は、ネットワークに接続可能な情報収集デバイスにより管理対象物品に係る情報を収集する工程と、情報収集デバイスにより管理対象物品に係る識別コードを生成する工程と、前記情報収集デバイスから管理対象物品に係る情報と前記識別コードの情報を送って、前記ネットワーク上でデータベースを作成または更新する工程と、前記識別コードを表した識別コード体を発行する工程と、発行した前記識別モード体を前記管理対象物品に付ける工程と、前記管理対象物品に付けられた前記識別コード体の識別コードを情報端末により読み取ることで前記データベースにアクセスして管理対象物品に係る情報を得る工程とを備える物品の流通管理方法である。
【０００９】
本発明の物品の流通管理方法によれば、従来、効率が悪いとされてきた単品管理であっても、流通管理をより効率的に行うことができる。すなわち、情報収集デバイスにより、管理対象物品に係る動画、画像、テキストまたは音声等の各種情報の収集を行う。また、管理対象物品に係る識別コードを生成し、その情報と、上記収集した各情報とを、ネットワーク上のデータベースサーバ等に送信し、データベースを作成または更新することができる。
【００１０】
次に、識別コードを表した識別コード体をプリンターまたはＩＣタグライター等により発行し、識別コード体を管理対象物品に貼付する等して付けることにより、その管理対象物品とデータベースの情報とを関連付けることができる。
【００１１】
そして、クライアントが、物品を管理する上で、管理対象物品に係る情報が必要になったときは、情報端末により、物品に付いている識別コード体の識別コードを読み取ることで、その管理対象物品に関するデータベースにアクセスして情報を得ることができる。
【００１２】
このように、一つ一つの物品のデータベースを簡単に作成することができ、データベースの作成後すぐに、管理対象物品に係る必要な情報を得ることができる。したがって、この流通管理方法は、特に手作りの商品のような、大量生産に向かない物品の管理（単品管理）に好適であり、効率的な管理が可能になる。
【００１３】
（２）本発明の物品の流通管理方法は、情報収集デバイスがネットワークに接続可能な通信機能及び撮影機能を有する携帯電話機である構成とすることができる。
【００１４】
この場合は、一般のクライアントにとって身近であるといえるスマートフォンなどの携帯電話機を情報収集デバイスとして、物品の流通管理に利用できる。すなわち、携帯電話機によって、管理対象物品に係る動画、画像、テキストまたは音声等の各種情報の収集を行うことができる。
【００１５】
また、ネットワークに接続して、データベースの作成や識別コード体の発行ができるように、ネットワーク上のデータベースサーバ、あるいはネットワークに接続可能なプリンター等に情報を送信することができる。また、携帯電話機は、本発明に係る情報端末としての使用も可能であり、情報収集デバイスと情報端末として兼用することも可能である。
【００１６】
（３）本発明の物品の流通管理方法は、情報収集デバイスがネットワークに接続可能な通信機能、映像や画像の撮影が可能な撮影機能及び管理対象物品に係る識別コードを表した識別コード体を発行可能な発行機能を有する構成とすることができる。
【００１７】
この場合は、情報収集デバイスの撮影機能によって、管理対象物品に係る動画、画像、またはテキスト等の各種情報の収集を行い、通信機能によりネットワークに接続して、ネットワーク上のデータベースサーバ等に情報を送信することができる。また、それと共に、発行機能により、管理対象物品に係る識別コードを表した識別コード体を発行することができる。また、情報収集デバイスに録音機能等、他の機能を付与することも可能である。
【００１８】
（４）本発明の物品の流通管理方法は、識別コードが二次元コードである構成とすることができる。
【００１９】
識別コードが、二次元コードである場合は、ＪＡＮコード（Japanese Article Number）等の一次元コードに比べて記憶させることができる情報量が多いので、多種類の様々な情報を記憶させる際に有利である。また、平面的なコードであるので、物品に付けるときに使いやすいシールやラベルに印刷する等して表示する際に好適である。また、現在、様々な分野で広く普及し、社会インフラとして整っている二次元コードを採用することによって、既存の読み取りデバイスが利用できる等、管理者を始めとするクライアントにとって使い勝手に優れると共に、システムの導入がしやすくなる利点がある。なお、識別コードを一次元コードとしてもよく、コードの種類を限定するものではない。
【００２０】
（５）本発明の物品の流通管理方法は、識別コード体がシールである構成とすることができる。
【００２１】
この場合は、シールが、識別コードを表す表示面を有し、その反対側の面に接着剤が塗布された構造であるので、発行された識別コード体を管理対象物品の表面に手軽に貼付することができ、管理対象物品とデータベースの情報とを効率よく関連付けることができる。
【００２２】
（６）本発明の物品の流通管理方法は、識別コード体がＩＣタグである構成とすることができる。
【００２３】
この場合は、識別コード体が、ＩＣタグである場合は、ＩＣタグライターを使用して、データを書き込むことができると共に、ＩＣタグリーダを使用して、データを読み取ることができる。また、ＩＣタグは、シールやラベルと同様に平面的な形態であり、普及も進んできているので、実質的に上記したような二次元コードの場合と同様の作用を有する。また、ＩＣタグとしては、例えば１３．５６ＭＨｚ帯タグ、あるいはＵＨＦ帯タグの採用が可能である。
【００２４】
（７）上記の目的を達成するため、本発明は、情報収集デバイスにより管理対象物品に係る情報を収集する工程と、管理対象物品に係る識別コードを生成する工程と、前記情報収集デバイスから管理対象物品に係る情報を送って、ネットワーク上でデーベースを作成または更新する工程と、前記識別コードを表した識別コード体を発行する工程と、発行した前記識別モード体を前記管理対象物品に付ける工程と、前記識別コード体の識別コードを情報端末により読み取ることで前記データベースにアクセスして管理対象物品に係る情報を得る工程とを備える物品の流通管理方法である。
【００２５】
本発明の物品の流通管理方法によれば、情報収集デバイスにより、管理対象物品に係る動画、画像、テキストまたは音声等の各種情報の収集を行う。また、管理対象物品に係る識別コードを生成する。上記収集した各情報を、ネットワーク上のデータベースサーバ等に送り、データベースを作成または更新することができる。
【００２６】
次に、識別コードを表した識別コード体をプリンター等により発行し、識別コード体を管理対象物品に貼付する等して付けることにより、その管理対象物品とデータベースの情報とを関連付けることができる。
【００２７】
そして、クライアントが、物品を管理する上で、管理対象物品に係る情報が必要になったときは、情報端末により、物品に付いている識別コード体の識別コードを読み取ることで、その管理対象物品に関するデータベースにアクセスして情報を得ることができる。
【００２８】
このように、一つ一つの物品のデータベースを簡単に作成することができ、データベースの作成後すぐに、管理対象物品に係る必要な情報を得ることができる。したがって、この流通管理方法は、特に手作りの商品のような、大量生産に向かない物品の管理に好適であり、効率的な管理が可能になる。
【００２９】
（８）上記の目的を達成するため、本発明は、ネットワークに接続することができ、管理対象物品の情報を収集可能で、管理対象物品に係る識別コードを生成する情報収集デバイスと、前記ネットワーク上にあり、前記情報収集デバイスから管理対象物品に係る情報を送り、データベースを作成または更新するデータベースサーバと、ネットワークに接続可能で前記識別コードを表した識別コード体を発行する発行部と、管理対象物品に付される識別コード体の識別コードを読み取り、前記データベースにアクセス可能な情報端末とを備え、前記情報収集デバイスにより管理対象物品に係る情報を収集すると共に、管理対象物品に係る識別コードを生成し、前記情報収集デバイスから管理対象物品に係る情報と前記識別コードの情報を送って、前記ネットワーク上にデータベースを作成し、前記発行部で識別コード体を発行し、管理対象物品に付けられた識別コード体の識別コードを、前記情報端末により読み取って、前記データベースの管理対象物品に係る情報にアクセスできるようにした物品の流通管理システムである。
【００３０】
本発明の物品の流通管理システムによれば、物品の単品管理であっても、流通管理をより効率的に行うことができる。すなわち、ネットワークに接続可能な情報収集デバイスにより、管理対象物品に係る動画、画像、またはテキスト等の各種情報の収集を行い、ネットワーク上のデータベースサーバに情報を送信し、データベースを作成または更新することができる。
【００３１】
次に、管理対象物品に関する情報のデータベースにネットワークを介してアクセスできるようにする情報を持つ識別コードを表した識別コード体を発行部により発行し、識別コード体を管理対象物品に貼付する等して付けることにより、その管理対象物品とデータベースの情報とを関連付けることができる。
【００３２】
なお、データベースサーバがあるネットワークと発行部があるネットワークは、少なくともそれぞれのネットワークを介して情報収集デバイスと接続することができれば、同じネットワークであってもよいし、例えば前者がインターネットで、後者がローカルエリアネットワークである等、異なるネットワークであってもよい。また、情報収集デバイスと発行部の接続は、無線接続でもよいし有線接続でもよい。
【００３３】
そして、クライアントが、物品を管理する上で、管理対象物品に係る情報が必要になったときは、情報端末により、物品に付いている識別コード体の識別コードを読み取り、データベースにアクセスすることができる。このように、一つ一つの物品のデータベースを簡単に作成することができ、データベースの作成後すぐに、管理対象物品に係る必要な情報を得ることができる。したがって、この流通管理方法は、特に手作りの商品のような、大量生産に向かない物品の管理に好適であり、効率的な管理が可能になる。
【００３４】
（９）上記の目的を達成するため、本発明は、撮影部と、該撮影部による撮影情報を送信可能な信号に変換すると共に、管理対象物品に係る識別コードを生成する処理部と、前記処理部により変換された信号と前記識別コードの情報を含む管理対象物品に係る情報をネットワーク上にあるデータベースサーバへ送る通信部と、前記識別コードを表示した識別コード体を発行する発行部とを備える情報収集デバイスである。
【００３５】
本発明の情報収集デバイスによれば、撮影部により管理対象物品を撮影し、その撮影情報は、処理部により通信部から送信可能な信号に変換される。それと共に、処理部によって、管理対象物品に係る識別コードが生成され、撮影情報と関連付けることができる。情報収集デバイスは、通信部によってネットワークに接続され、互いに関連付けられた撮影情報の変換された信号と識別コードの情報を、ネットワーク上にあるデータベースサーバへ送ることができる。
【００３６】
特許請求の範囲及び本明細書にいう「ネットワーク」の用語は、グローバルネットワークであるインターネットの他、規模の大小に係わらず、様々なローカルエリアネットワークを含む意味で使用している。また、ネットワーク上のデータベースとしては、例えばインターネットをベースとしたクラウド（クラウドコンピューティング）を利用することができるが、これに限定されるものではない。
【００３７】
また、同じく「データベースサーバ」の用語は、システムを使用するクライアントやアプリケーションサーバに要求されたデータを送信したり、操作要求を受け付けてデータを書き換えたり、あるいは削除したりすることが可能なサーバの意味で使用している。
【００３８】
発行部による識別コード体の発行は、例えば管理対象物品のデータベースの作成後に行われるが、データベースの情報と管理対象物品との関連づけ（紐付けともいう）を支障なく行うことができるのであれば、先に識別コード体の発行を行った後、データベースの作成を行ってもよいし、データベースの作成と同時に、あるいは並行して行うようにしてもよい。
【００３９】
データベースに記憶される情報の種類としては、管理対象物品ごとに、例えば動画（映像）、画像、テキスト、音声または音楽、各種識別コード（例えばＪＡＮコード等の二次元コード）、日時、保管場所（現在位置）のＧＰＳ位置情報、データのサイズ、あるいはＳＫＵ（在庫保管単位：Stock Keeping Unit）等があげられるが、これらに限定はされない。
【００４０】
また、クラウド等のデータベースに記憶された情報を、例えば一定時間ごと、またはデータベースの情報が更新されるごとに、外部に作成した別のサーバにあるデータベースにアクセスしてアップデートし、常に最新の情報のバックアップをとるようにすることもできる。
【発明の効果】
【００４１】
本発明は、手作りの商品等、個々に異なり、大量生産に向かない物品を単品管理する場合も、その物品に係る情報を、物品と関わったその場で取得してデータベースを作成または更新することが可能であり、その後、データベースの物品に係る情報へのアクセスも容易に行うことができ、物品の流通管理をより効率的に行うことができる、物品の流通管理方法、物品の流通管理システム及びそれに使用する情報収集デバイスを提供することができる。
【図面の簡単な説明】
【００４２】
【図１】本発明に係る物品の流通管理システムの一実施形態を示す説明図である。
【図２】本発明に係る物品の流通管理方法の一実施形態を示すフロー図である。
【図３】モバイルプリンターにより発行される識別コードラベルの一形態を示す説明図である。
【図４】本発明に係る情報収集デバイスの他の実施形態を示し、（ａ）は斜視説明図、（ｂ）はブロック図である。
【発明を実施するための形態】
【００４３】
図１ないし図３を参照して、本発明の実施形態を更に詳細に説明する。
物品の流通管理システムＳは、情報収集デバイス１と、データベースサーバ２、バックアップサーバ２ａと、識別コードシール３０を発行する発行部３、及びデータベースサーバ２にアクセスすることができる情報端末４を備えている。
【００４４】
物品の流通管理システムＳは、上記各ハードウェアを次のように使用するシステムである。すなわち、情報収集デバイス１により、画像や音声等の管理対象物品９に係る情報を収集する。それと共に、情報収集デバイス１は、識別コードを生成する。情報収集デバイス１は、インターネット８上にあるデータベースサーバ２に各情報を送ってデータベースを作成または更新する。
【００４５】
また、発行部３で識別コードを表示した識別コードシール３０を発行し、管理対象物品９に付けられた識別コードシール３０の識別コードを、情報端末４で読み取り、データベース２０の管理対象物品９に係る情報にアクセスして情報を得ることにより、物品の流通管理を行うことができる。なお、各ハードウェアの使用については、後で詳細に説明する。ここで、まず、上記各ハードウェアについて、詳細に説明する。
【００４６】
（情報収集デバイス１）
本実施形態では、情報収集デバイス１として、スマートフォン等の携帯電話機を採用している。情報収集デバイス１は、スマートフォンであるので、ネットワークであるインターネット８に接続することができる。また、管理対象物品９の画像や映像の撮影が可能であり、管理対象物品９に係る説明のテキストを入力することも可能で、更には同様の説明等を音声で録音することも可能である。
【００４７】
また、情報収集デバイス１は、上記のような画像、映像、テキストあるいは音声等の管理対象物品９に係る情報を収集した後、それら各情報をネットワークを介してデータベースサーバや発行部に対し送信することができる。なお、この送信作業は、手操作で行うようにしてもよいし、専用のアプリケーションを使用して、情報収集後に自動的にデータベースサーバや発行部に対し情報の送信ができるようにすることも可能である。
【００４８】
更に、情報収集デバイス１は、内部の処理部（図示省略）により、専用のアプリケーションにより、管理対象物品に係る識別コードを生成するようになっている。識別コードは、ランダムに生成するようにしてもよいし、単純に連番で生成してもよい。また、例えば管理対象物品に係る何らかの情報と関連付けて生成してもよい。
【００４９】
識別コード３１は、データベース２０の管理対象物品９に係る情報にアクセスするための情報を持つ二次元コードである。また、この識別コード３１は、管理対象物品９に係る上記各情報と関連付けられ、これらの情報は処理部によって送信可能な信号に変換される。
【００５０】
（データベースサーバ２）
データベースサーバ２は、インターネット８上にあり、情報収集デバイス１から送信される管理対象物品９に係る情報を得て、自動的に管理対象物品９のデータベースを作成または更新する。また、データベースサーバ２は、クラウド（クラウドコンピューティング）の形態で利用可能である。
【００５１】
したがって、物品の流通管理システムＳを使用して流通管理を行う特定のグループに参加しているクライアントであれば、情報端末等を利用して、パスワード等の識別コード等の識別手段を介することにより、データベースサーバ２のデータベース２０にアクセスすることができる。
【００５２】
（バックアップサーバ２ａ）
バックアップサーバ２ａは、上記データベースサーバ２と同様にインターネット８上にあるが、データベースサーバ２とは異なる外部サーバである。データベースサーバ２は、データベース２０のデータが更新される毎に、自動的にバックアップサーバ２ａのデータベース２０ａにアクセスして、データをアップデートするようになっており、データベース２０ａには、常に最新のデータがバックアップされる。
【００５３】
（発行部３）
本実施形態では、発行部３として、モバイルプリンターを採用している。発行部３は、モバイルプリンターであるので、バッテリー（図示省略）が内蔵され、コンパクトにつくられており、スマートフォンである情報収集デバイス１と共に、外出先、出張先等に携帯することが可能である。発行部３は、インターネット８に接続できる通信機能（図示省略）を有している。発行部３には、インターネット８を介して、情報収集デバイス１を無線接続することができる。なお、情報収集デバイス１と発行部３は、ＵＳＢケーブル等を介し、有線接続をする構造としてもよい。
【００５４】
また、発行部３は、情報収集デバイス１から送信される識別コードの情報を受信して、表示面３０１に識別コード３１を印刷した識別コード体である識別コードシール３０を発行することができる。なお、識別コードシール３０の表示面３０１とは反対側の面は、接着剤が塗布された接着面３０２となっている（図３参照）。なお、識別コードシール３０の発行時には、接着面３０２に剥離紙（図示省略）が付いており、貼付の際にはこれを剥がすようにする。
【００５５】
（情報端末４）
本実施形態では、情報端末４として、スマートフォン等の携帯電話機が採用される。情報端末４は、スマートフォンであるので、撮影機能を有しており、識別コードシール３０の表示面３０１に表示してある識別コード３１の読み取りが可能である。また、情報端末４は、識別コード３１を読み取ることにより、識別コード３１が関連付けられているデータベースサーバ２のデータベース２０に自動的にアクセスすることができる。
【００５６】
（作  用）
次に、図１、図２を参照し、物品の流通管理システムＳの作用を、本発明に係る物品の流通管理方法と共に説明する。ここで、管理対象物品９は、焼物の一点ものであり、以下、この焼物の流通管理を行う場合を例にとり説明する。また、以下の説明では、識別コードを二次元コードとしたが、他の各種コードやＩＣタグとすることもできる。
【００５７】
（工程Ｓ１）
情報収集デバイス１により、管理対象物品９に係る動画、画像、テキストまたは音声による説明等の各種情報の収集を行う。なお、携帯電話機である情報収集デバイス１には、システム専用のアプリケーションがインストールされており、以下の情報収集デバイス１の動きは、このアプリケーションにより行われる。
【００５８】
（工程Ｓ２）
情報収集デバイス１により、上記各情報の収集を行った後、管理対象物品９に係る識別コードが生成される。
【００５９】
（工程Ｓ３）
上記各情報と識別コードの情報は、情報収集デバイス１によりインターネット８上のデータベースサーバ２に送信される。データベースサーバ２は、これらの管理対象物品９に係る情報を得ることにより、データベース２０を作成する。なお、この作成されたデータベース２０は、上記生成された識別コードと関連付けられている。
【００６０】
（工程Ｓ４）
データベース２０の作成が新規でなかった場合、データベース２０に蓄積されたデータが新規情報かどうかを判定し、新規情報であれば工程Ｓ５へ進み、新規情報でなければ工程Ｓ６へ進む。なお、識別コードシール３０を貼付した管理対象物品９に関し、情報を追加してデータベース２０を更新する場合は、当初、データベース２０を作成するための情報を送った情報収集デバイス１によってデータベース２０にアクセスし、更新するデータを送信するようにする。
【００６１】
（工程Ｓ５）
データベース２０に蓄積されたデータが新規情報であった場合、データベースサーバ２がバックアップサーバ２ａにアクセスし、バックアップサーバ２ａのデータベース２０ａの情報を更新する。これにより、データベース２０ａの情報は、常に最新の情報となっている。
【００６２】
（工程Ｓ６）
識別コード３１を表した識別コードシール３０を発行部３により発行する。識別コード３１は、管理対象物品９に関する情報のデータベース２０に、携帯電話機である情報端末４を使用し、インターネット８を介してアクセスできるようにする情報を持っている。
【００６３】
（工程Ｓ７）
発行された識別コードシール３０から剥離紙を剥がし、管理対象物品９の任意の箇所に貼付する。これにより、管理対象物品９とデータベース２０の情報とが関連付けられ、データベース２０は、一点ものの焼物である管理対象物品９の専用のデータベースとなる。
【００６４】
（工程Ｓ８）
クライアントが、物品を管理する上で、管理対象物品に係る情報が必要になったときは、情報端末４を使用し、管理対象物品９に付いている識別コードシール３０の識別コード３１を読み取り、データベースサーバ２のデータベース２０にアクセスする。
【００６５】
（工程Ｓ９）
情報端末４を適宜操作して、データベース２０から、管理対象物品９に係る必要な情報を取得する。
【００６６】
このように、一つ一つの物品のデータベースを簡単に作成することができ、データベースの作成後すぐに、管理対象物品に係る必要な情報を得ることができる。
そして、上記のように、物品が一品ものの焼物である場合は、情報端末４でデータベース２０の情報を得ることにより、例えば焼物の画像、製造過程の映像等を見ることができる。音声なら、例えば作者自身による焼物に対する思い入れの説明等を聴くことができる。更には、テキスト情報なら、例えば製作されたのが何時か、作者は誰か等を確認することができる。
【００６７】
また、識別コードシール３０の同じものを二枚発行し、うち一枚は管理対象物品９に付けておき、もう一枚を管理ノートや手帳などに貼って整理しておくことにより、物品が手元にない場合でも、位置情報（ＧＰＳ情報等）をデータベース２０に蓄積し更新しておけば、管理対象物品９がすでに販売されていることが確認できたり、現在保管されている箇所を確認したりすることができる等、個々の物品を追跡することも可能になる。したがって、この物品の流通管理システムＳ及び流通管理方法は、特に手作りの商品のような、大量生産に向かない物品の管理に好適であり、効率的な管理が可能になる。
【００６８】
なお、物品の流通管理システムＳが利用可能なケースとして、上記のように管理対象物品９が一点ものの焼物である以外にも、例えば以下のようなケースをあげることができる。
【００６９】
（ａ）手編みのセーターや手作りの衣類あるいは小間物等、管理対象となる一点ものの物品を撮影するなど情報を収集し、リアルタイムに物品に識別コードシールを貼り付ければ、その物品とデータベースの情報を関連付けすることができる。
【００７０】
（ｂ）個人商店等で、商品の仕入れを行った際は、その場で各商品のデータベースを作成することが可能になる。例えば、ある野菜が１００ｋｇ入った段ボールが３個口あって、それらの仕入れ値がいくらであったか等の情報を画像や音声で収集し、リアルタイムに物品に識別コードシールを貼り付ければ、各物品とデータベースの情報を関連付けすることができる。
また、情報は画像や音声、テキストのみでも可能であるが、リアルタイムに別の部門も含めて画像一覧を見ることができるようにしておけば、その日の仕入れたものを俯瞰的に確認できると共に、仕入れの記録を残すことが容易にできるようになる。
【００７１】
（ｃ）例えば建設現場で使用した資材のうち、余ったものを持ち帰って種類別にデータベース化し、資材のコンディション、大きさ、数あるいは保管場所等を管理することが可能になる。これにより、余った資材が無駄にならないように活用することが、容易にできるようになる。
【００７２】
（ｄ）小規模な工場等で機械類の部品の管理、例えば車の解体や分解、修理の際に出る部品の管理ができるようになる。そして、破損の有無、修理可能または修理不可能等、部品の情報を追加していけば、部品がどのように分解されているか、どこの部分で使用されているか、使用できる部品なのか、使用できない部品なのか、修理すれば直る部品なのか等、情報共有するためのデータベースをつくることができる。
これにより、データベースがない古い機械の中古部品としても利用価値が高まり、通常なら廃品となってしまう部品を再利用できるようになる。
【００７３】
（ｅ）煩雑になりやすい部品、名称がない部品、一見して使用方法が分からない部品あるいはリストにない部品等、互いに共通項のない様々な部品の個々のデータベースが作成可能で、それらの価値を高めることができ、管理を効率よく行うことができるようになる。
【００７４】
（ｆ）大掛かりなシステムの導入が難しい小規模な工場、システムを使いづらい作業現場でも、携帯電話機やモバイルプリンターなど、取り扱いがしやすいデバイスを採用することにより、物品のデータベースを簡単に作成することができ、流通管理が効率よくできる。
【００７５】
（ｇ）ＪＡＮコードや商品コードがない手作り品、中古品、機械の部品、車のパーツ、等の商品を持ち帰って倉庫に置いてからではなく持ち帰る前に既に名称（二次元コードによる）が付けられており、場所が確定すればその場で置き場所の情報を追加入力し、置き場所を探すことなく、全社員に置き場所がどこにあるかが分かるようになる。
【００７６】
図４（ａ）、（ｂ）を参照する。
情報収集デバイス７は、デジタルカメラの形態を模してつくられている。情報収集デバイス７は、画像や映像を収集する撮影部７０と、音声を収集する録音部７１と、これらにより収集した各情報を処理する処理部７２を備えている。処理部７２では、各情報を送信可能な信号に変換する処理が行われる。変換された信号は、通信部７３によって、インターネット８を介し、データベースサーバ２へ送信される。
【００７７】
また、処理部７２では、識別コードが生成される。生成された識別コードは、発行部７４へ送信されて、識別コード３１を表した識別コードシール３０が発行される。なお、図４（ａ）に示した情報収集デバイス７では、撮影部７０、録音部７１、処理部７２、通信部７３及び発行部７４について、便宜上、符号の引出し線を、それぞれを構成する一部を指して表している。
【００７８】
情報収集デバイス７によれば、情報を収集するための撮影部７０、録音部７１と、発行部７２が一体となっているので、物品の流通管理システムの情報収集デバイスと発行部として採用することにより、物品の流通管理システムは、携帯性により優れた使いやすいシステムとなる。
【００７９】
また、識別コードがＩＣタグである場合は、物品の流通管理システムＳを構成する発行部及び情報端末として、例えば公知の通信機能を備えた携帯型のＩＣタグリーダライターを使用することができる。
【００８０】
本明細書及び特許請求の範囲で使用している用語と表現は、あくまでも説明上のものであって、なんら限定的なものではなく、本明細書及び特許請求の範囲に記述された特徴及びその一部と等価の用語や表現を除外する意図はない。また、本発明の技術思想の範囲内で、種々の変形態様が可能であるということは言うまでもない。
【符号の説明】
【００８１】
Ｓ  物品の流通管理システム
１  情報収集デバイス
２  データベースサーバ
２０  データベース
２ａ  バックアップサーバ
２０ａ  データベース
３  発行部
３０  識別コードシール
３１  識別コード
３０１  表示面
３０２  接着面
４  情報端末
７  情報収集デバイス
７０  撮影部
７１  録音部
７２  処理部
７３  通信部
７４  発行部
８  インターネット
９  管理対象物品
【図１】
2018045651.tif 000003
【図２】
2018045651.tif 000004
【図３】
2018045651.tif 000005
【図４】
2018045651.tif 000006